【手続補正書】
【提出日】平成19年7月17日(2007.7.17)
【手続補正１】
【補正対象書類名】明細書
【補正対象項目名】発明の名称
【補正方法】変更
【補正の内容】
【発明の名称】加熱装置及び画像形成装置
【手続補正２】
【補正対象書類名】明細書
【補正対象項目名】特許請求の範囲
【補正方法】変更
【補正の内容】
【特許請求の範囲】
【請求項１】  加熱体と、定着フィルムと、該定着フィルムを挟んで前記加熱体に圧接されると共に回転駆動される加圧部材とを有し、前記加熱体と前記加圧部材との圧接箇所に被加熱材を導入することで、前記加熱体の熱を前記定着フィルムを介して被加熱材へ付与する加熱装置であって、
前記定着フィルムに設けられた反射部における反射光に応じた電圧を出力するセンサの出力電圧と基準電圧とを比較する比較手段と、該比較手段の比較結果に基づき前記定着フィルムの速度を検知する速度検知手段と、直前の被加熱材が前記圧接箇所を通過する際の前記定着フィルムの速度に基づき、次の被加熱材の送り速度を決定する速度制御手段とを有することを特徴とする加熱装置。
【請求項２】  更に、前記基準電圧を可変する基準電圧可変手段を有することを特徴とする請求項１記載の加熱装置。
【請求項３】  前記基準電圧可変手段は、計数クロックを計数する計数手段と、前記比較手段の出力である２値波形により前記計数手段をクリアするクリア手段と、前記計数手段の出力に応じて前記基準電圧を低減させる低減手段とを有することを特徴とする請求項２記載の加熱装置。
【請求項４】  前記基準電圧可変手段は、前記センサからの出力波形の最大電圧に追従する電圧を出力するピークホールド手段と、該ピークホールド手段の出力を分圧する分圧手段とを有することを特徴とする請求項２記載の加熱装置。
【請求項５】  前記基準電圧可変手段は、前記センサからの出力波形の最大電圧に追従する電圧を出力するピークホールド手段と、該ピークホールド手段の出力をＡ／Ｄ変換するＡ／Ｄ変換手段と、該Ａ／Ｄ変換手段の変換出力をＣＰＵへ入力する入力手段と、前記ＣＰＵからの出力をＤ／Ａ変換するＤ／Ａ変換手段とを有することを特徴とする請求項２記載の加熱装置。
【請求項６】  加熱体と、定着フィルムと、該定着フィルムを挟んで前記加熱体に圧接されると共に回転駆動される加圧部材とを有し、前記加熱体と前記加圧部材との圧接箇所に被加熱材を導入することで、前記加熱体の熱を前記定着フィルムを介して被加熱材へ付与する加熱装置であって、
前記定着フィルムに設けられた反射部における反射光に応じた電圧を出力するセンサの出力電圧と基準電圧とを比較する比較手段と、前記基準電圧を可変する基準電圧可変手段と、該基準電圧可変手段の出力が規定値になったことを検知して報知する報知手段と、前記比較手段の比較結果に基づき前記定着フィルムの速度を検知する速度検知手段と、直前の被加熱材が前記圧接箇所を通過する際の前記定着フィルムの速度に基づき、次の被加熱材の送り速度を決定する速度制御手段とを有することを特徴とする加熱装置。
【請求項７】  前記報知手段は、前記基準電圧可変手段の出力が規定値になった旨を表示手段或いは音声出力手段で報知することを特徴とする請求項６記載の加熱装置。
【請求項８】  前記定着フィルムは、エンドレス耐熱性フィルムであることを特徴とする請求項１又は６記載の加熱装置。
【請求項９】  請求項１〜８の何れかに記載の加熱装置を有することを特徴とする画像形成装置。
【手続補正３】
【補正対象書類名】明細書
【補正対象項目名】０００１
【補正方法】変更
【補正の内容】
【０００１】
【発明の属する技術分野】
本発明は、加熱装置及び画像形成装置に関し、特に、加圧ローラの駆動速度制御用のセンサの出力変動に対応する場合に好適な加熱装置及び画像形成装置に関する。
【手続補正４】
【補正対象書類名】明細書
【補正対象項目名】００１４
【補正方法】変更
【補正の内容】
【００１４】
本発明は、上述した点に鑑みなされたものであり、汚れなどによる加圧ローラ駆動速度制御用センサの出力の変動に強く、速度制御を常時適切に行えるよう保つことを可能とした加熱装置及び画像形成装置を提供することを目的とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
【課題を解決するための手段】
上記目的を達成するため、請求項１記載の発明は、加熱体と、定着フィルムと、該定着フィルムを挟んで前記加熱体に圧接されると共に回転駆動される加圧部材とを有し、前記加熱体と前記加圧部材との圧接箇所に被加熱材を導入することで、前記加熱体の熱を前記定着フィルムを介して被加熱材へ付与する加熱装置であって、前記定着フィルムに設けられた反射部における反射光に応じた電圧を出力するセンサの出力電圧と基準電圧とを比較する比較手段と、該比較手段の比較結果に基づき前記定着フィルムの速度を検知する速度検知手段と、直前の被加熱材が前記圧接箇所を通過する際の前記定着フィルムの速度に基づき、次の被加熱材の送り速度を決定する速度制御手段とを有することを特徴とする。
【手続補正１４】
【補正対象書類名】明細書
【補正対象項目名】００２４
【補正方法】変更
【補正の内容】
【００２４】
上記目的を達成するため、請求項２記載の発明は、更に、前記基準電圧を可変する基準電圧可変手段を有することを特徴とする。
【手続補正１５】
【補正対象書類名】明細書
【補正対象項目名】００２５
【補正方法】変更
【補正の内容】
【００２５】
上記目的を達成するため、請求項３記載の発明は、前記基準電圧可変手段は、計数クロックを計数する計数手段と、前記比較手段の出力である２値波形により前記計数手段をクリアするクリア手段と、前記計数手段の出力に応じて前記基準電圧を低減させる低減手段とを有することを特徴とする。
【手続補正１６】
【補正対象書類名】明細書
【補正対象項目名】００２６
【補正方法】変更
【補正の内容】
【００２６】
上記目的を達成するため、請求項４記載の発明は、前記基準電圧可変手段は、前記センサからの出力波形の最大電圧に追従する電圧を出力するピークホールド手段と、該ピークホールド手段の出力を分圧する分圧手段とを有することを特徴とする。
【手続補正１７】
【補正対象書類名】明細書
【補正対象項目名】００２７
【補正方法】変更
【補正の内容】
【００２７】
上記目的を達成するため、請求項５記載の発明は、前記基準電圧可変手段は、前記センサからの出力波形の最大電圧に追従する電圧を出力するピークホールド手段と、該ピークホールド手段の出力をＡ／Ｄ変換するＡ／Ｄ変換手段と、該Ａ／Ｄ変換手段の変換出力をＣＰＵへ入力する入力手段と、前記ＣＰＵからの出力をＤ／Ａ変換するＤ／Ａ変換手段とを有することを特徴とする。
【手続補正１８】
【補正対象書類名】明細書
【補正対象項目名】００２８
【補正方法】変更
【補正の内容】
【００２８】
上記目的を達成するため、請求項６記載の発明は、加熱体と、定着フィルムと、該定着フィルムを挟んで前記加熱体に圧接されると共に回転駆動される加圧部材とを有し、前記加熱体と前記加圧部材との圧接箇所に被加熱材を導入することで、前記加熱体の熱を前記定着フィルムを介して被加熱材へ付与する加熱装置であって、前記定着フィルムに設けられた反射部における反射光に応じた電圧を出力するセンサの出力電圧と基準電圧とを比較する比較手段と、前記基準電圧を可変する基準電圧可変手段と、該基準電圧可変手段の出力が規定値になったことを検知して報知する報知手段と、前記比較手段の比較結果に基づき前記定着フィルムの速度を検知する速度検知手段と、直前の被加熱材が前記圧接箇所を通過する際の前記定着フィルムの速度に基づき、次の被加熱材の送り速度を決定する速度制御手段とを有することを特徴とする。
【手続補正１９】
【補正対象書類名】明細書
【補正対象項目名】００２９
【補正方法】変更
【補正の内容】
【００２９】
上記目的を達成するため、請求項７記載の発明は、前記報知手段は、前記基準電圧可変手段の出力が規定値になった旨を表示手段或いは音声出力手段で報知することを特徴とする。
【手続補正２０】
【補正対象書類名】明細書
【補正対象項目名】００３０
【補正方法】変更
【補正の内容】
【００３０】
上記目的を達成するため、請求項８記載の発明は、前記定着フィルムは、エンドレス耐熱性フィルムであることを特徴とする。
【手続補正２１】
【補正対象書類名】明細書
【補正対象項目名】００３１
【補正方法】変更
【補正の内容】
【００３１】
上記目的を達成するため、請求項９記載の発明は、請求項１〜８の何れかに記載の加熱装置を有することを特徴とする。
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】
【手続補正４４】
【補正対象書類名】明細書
【補正対象項目名】００５４
【補正方法】削除
【補正の内容】
【手続補正４５】
【補正対象書類名】明細書
【補正対象項目名】０１２３
【補正方法】削除
【補正の内容】
【手続補正４６】
【補正対象書類名】明細書
【補正対象項目名】０１２４
【補正方法】削除
【補正の内容】
【手続補正４７】
【補正対象書類名】明細書
【補正対象項目名】０１２５
【補正方法】変更
【補正の内容】
【０１２５】
【発明の効果】
本発明によれば、汚れなどによる加圧部材駆動速度制御用センサの出力の変動に強い加熱装置を提供でき、速度制御が常時適切に行えるよう保つことができるという効果を奏する。
【手続補正４８】
【補正対象書類名】明細書
【補正対象項目名】０１２６
【補正方法】削除
【補正の内容】
【手続補正４９】
【補正対象書類名】明細書
【補正対象項目名】０１２７
【補正方法】削除
【補正の内容】
【手続補正５０】
【補正対象書類名】明細書
【補正対象項目名】０１２８
【補正方法】削除
【補正の内容】